(57)【要約】      （修正有）【課題】ブラシ毛の先端を口腔の対象部位に接触させ易いとともに、ユーザの操作負担を軽減可能な口腔用ブラシを提供する。【解決手段】口腔用ブラシは、軸形状の本体部１１と、本体部の外周面から外側に向けて突出され、かつ、本体部の全周に亘って設けられた複数のブラシ毛１２Ａと、を有する。【選択図】図１
0003231765.tif 000002
【実用新案登録請求の範囲】
【請求項１】
軸形状の本体部と、
前記本体部の外周面から外側に向けて突出され、かつ、前記本体部の全周に亘って設けられた複数のブラシ毛と、
を有する、口腔用ブラシ。
【請求項２】
請求項１記載の口腔用ブラシにおいて、前記複数のブラシ毛は、前記本体部の太さ方向の平面内で、前記本体部の外周面から突出された長さが均一である、口腔用ブラシ。
【請求項３】
請求項１記載の口腔用ブラシにおいて、前記複数のブラシ毛は、前記本体部の長手方向の平面内で、前記本体部の外周面から突出された長さが不均一である、口腔用ブラシ。
【請求項４】
請求項１乃至３の何れか１項記載の口腔用ブラシにおいて、前記複数のブラシ毛は、前記本体部の長手方向の平面内で、前記本体部の外周面から突出された長さが均一である、口腔用ブラシ。
【請求項５】
請求項１乃至３の何れか１項記載の口腔用ブラシにおいて、前記複数のブラシ毛は、前記本体部の長手方向の平面内で、前記本体部の外周面から突出された長さが不均一である、口腔用ブラシ。
【請求項６】
請求項１乃至５の何れか１項記載の口腔用ブラシにおいて、前記本体部を支持するグリップと、
前記グリップに設けられ、かつ、電源が供給されると前記本体部を動作させる電動モータと、
前記グリップに設けられ、かつ、前記電動モータに電力を供給する電源部と、
を有する、口腔用ブラシ。
【請求項７】
請求項１乃至６の何れか１項記載の口腔用ブラシにおいて、
前記本体部は、
前記複数のブラシ毛が設けられた頭部と、
前記本体部の長手方向で前記頭部の隣に接続設けられ、かつ、前記頭部に着脱可能な把柄部と、
を有する、口腔用ブラシ。
【請求項８】
請求項６記載の口腔用ブラシにおいて、前記本体部は、前記モータに対して着脱可能である、口腔用ブラシ。
【請求項９】
請求項１乃至８の何れか１項記載の口腔用ブラシにおいて、前記本体部または前記ブラシ毛の少なくとも一方から吐出される消毒液が通る通路と、
前記通路に接続され、かつ、前記消毒液を収容するタンクと、
を有する、口腔用ブラシ。
【請求項１０】
請求項１乃至９の何れか１項記載の口腔用ブラシにおいて、前記本体部の少なくとも一部の外周面の形状は、前記本体部の長手方向の平面内で円形である、口腔用ブラシ。
【請求項１１】
請求項１乃至９の何れか１項記載の口腔用ブラシにおいて、前記本体部の少なくとも一部の外周面の形状は、前記本体部の長手方向の平面内で多角形である、口腔用ブラシ。
【考案の詳細な説明】
【技術分野】
【０００１】
本考案は、口腔の対象部位に接触される複数の毛を有する、口腔用ブラシに関するものである。
【背景技術】
【０００２】
口腔ケアのために、歯肉のマッサージ、舌苔の除去、食物残渣の除去等が行われており、このような口腔ケアに用いられる口腔用ブラシの一例が、特許文献１等に記載されている。特許文献１に記載の口腔用ブラシが図１１に示されている。口腔用ブラシ１００は、軸形状の本体部１０２と、本体部１０２に設けられた毛束１０４と、を有する。本体部１０２は、頭部１０５と、頭部１０５に接続された把柄部１０６と、を有する。頭部１０５は、平らな植毛面１０７を有し、毛束１０４は、複数のブラシ毛１０３を植毛面１０７に固定したものである。複数のブラシ毛１０３は、植毛面１０７からほぼ垂直に突出されており、複数のブラシ毛１０３の先端は、全体としてほぼ平らになっている。
【先行技術文献】
【特許文献】
【０００３】
【特許文献１】特開２０２０−１６８４６５号公報
【考案の概要】
【考案が解決しようとする課題】
【０００４】
ユーザが、図１１に示されているような口腔用ブラシ１００の把柄部１０６を手で握り、複数のブラシ毛１０３の先端を口腔の対象部位、例えば、歯肉に接触させてマッサージしようとすると、複数のブラシ毛１０３の先端が歯肉に接触し難いとともに、歯肉の外側面をマッサージする場合と、歯肉の内側面をマッサージする場合とで、ユーザが本体部１０２を反転、つまり、太さ方向にほぼ１８０度回転させなければならず、操作が面倒であるという不都合があった。
【０００５】
本考案の目的は、ブラシ毛の先端を口腔の対象部位に接触させ易いとともに、ユーザの操作負担を軽減可能な口腔用ブラシを提供することである。
【課題を解決するための手段】
【０００６】
一実施形態の口腔用ブラシは、軸形状の本体部と、前記本体部の外周面から外側に向けて突出され、かつ、前記本体部の全周に亘って設けられた複数のブラシ毛と、を有する。
【考案の効果】
【０００７】
一実施形態の口腔用ブラシによれば、ブラシ毛の先端を口腔の対象部位に接触させ易いとともに、ユーザの操作負担を軽減可能である。
【図面の簡単な説明】
【０００８】
【図１】口腔用ブラシの第１実施形態を示す斜視図である。
【図２】図１の口腔用ブラシの正面図である。
【図３】口腔用ブラシのブラシ毛の先端を、歯肉の外側面に接触させた状態を示す側面断面図である。
【図４】口腔用ブラシのブラシ毛の先端を、歯肉の外側面に接触させた状態を示す歯肉の平面図である。
【図５】口腔用ブラシの第２実施形態を示す正面図である。
【図６】（Ａ），（Ｂ），（Ｃ）は、本体部の中心線に対して垂直な平面内において、毛束の外周端の形状例を示す側面図である。
【図７】本体部の中心線に沿った方向において、毛束の先端の形状を示す正面図である。
【図８】本体部またはブラシ毛の先端から消毒液を吐出可能とした口腔用ブラシの正面図である。
【図９】（Ａ）は、本体部またはブラシ毛の先端から消毒液を吐出可能とした口腔用ブラシの他の例を示す正面図、（Ｂ）は、頭部を把柄部に対して着脱可能とした例を示す正面図である。
【図１０】（Ａ），（Ｂ），（Ｃ），（Ｄ）は、本体部の中心線に対して垂直な平面内において、本体部の少なくとも一部の外周形状の例を示す側面図である。
【図１１】従来の口腔用ブラシの一例を示す正面図である。
【考案を実施するための形態】
【０００９】
以下、本考案の口腔用ブラシの一実施形態を図面に基づいて詳細に説明する。なお、口腔用ブラシの実施形態を説明するための全図において、同一部には原則として同一の符号を付し、その繰り返しの説明は省略する。
【００１０】
［第１実施形態］
口腔用ブラシの第１実施形態は、ユーザが手動で口腔用ブラシを操作するものである。図１及び図２に示されるように、口腔用ブラシ１０は、軸形状の本体部１１と、本体部１１の外周面に設けられた毛束１２と、を有する。本体部１１は、例えば、合成樹脂製であり、合成樹脂は、ＡＳ樹脂、ＡＢＳ樹脂、ＰＰ樹脂、飽和ポリエステル樹脂、エラストマー樹脂等のうちの何れでもよい。図１及び図３は、本体部１１が円柱形状である例を示している。本体部１１の外周面形状は、例えば、図３に示すように、太さ方向、つまり、直径方向の中心線Ａ１に対して垂直な平面内で円形である。中心線Ａ１は、本体部１１の直径方向の中心に位置する仮想線である。
【００１１】
本体部１１は、中心線Ａ１に沿った方向において、把柄部１３と、把柄部１３に接続され頭部１４と、を有する。なお、図２には、本体部１１の太さ、つまり、直径Φ１が、中心線Ａ１に沿った方向の範囲で同じである例が示されている。そして、本体部１１は、把柄部１３及び頭部１４が、合成樹脂により一体成形されている。
【００１２】
毛束１２は、多数のブラシ毛１２Ａを、本体部１１の外周面に植毛、つまり、固定したものである。本体部１１の中心線Ａ１に沿った方向の領域、つまり、範囲のうち、毛束１２が設けられている範囲を、便宜上、頭部１４と定義し、毛束１２が設けられていない範囲を、把柄部１３と定義する。把柄部１３は、ユーザが手、具体的には指で握る部位である。中心線Ａ１に沿った方向において、把柄部１３の長さＬ１は、頭部１４の長さＬ２より長い。図２には、長さＬ１が、長さＬ２の２倍程度である例が示されている。
【００１３】
ブラシ毛１２Ａは、頭部１４の外周面１４Ａから、本体部１１の直径方向で外側に向けて突出伸ばされており、ブラシ毛１２Ａは、頭部１４の円周方向の全域に亘って放射状に多数植毛されている。ブラシ毛１２Ａは、例えば１．０ｍｍ&#12316;１．０ｃｍ程度の長さ（高さ）Ｔ１を有する。また、ブラシ毛１２Ａは、例えば０．０８ｍｍ&#12316;０．２５ｍｍ程度の太さを有する化学合成フィラメント、または天然毛である。化学合成フィラメントとしては、例えば、ナイロン、ＰＢＴ、ＰＰ等のうちの何れでもよい。天然毛は、豚毛、パジャー毛等のうちの何れでもよい。
【００１４】
ブラシ毛１２Ａは、頭部１４の外周面１４Ａから突出された長さＴ１を有する。図１、図２及び図３に示すブラシ毛１２Ａは、頭部１４の円周方向全域、及び頭部１４の中心線Ａ１に沿った方向の全域において、ブラシ毛１２Ａの長さＴ１が全て同一である例が示されている。このため、毛束１２の外周端の形状は、図３のように、中心線Ａ１を中心とする円形になっている。
【００１５】
次に、ユーザが口腔用ブラシ１０を用いて、人間の口腔をケアする例を、図３及び図４を参照して説明する。図３には、ユーザが、口腔用ブラシ１０を用いて下顎の歯肉（歯茎)１５をマッサージする例が示されている。歯肉１５は、下顎の歯槽骨１６の表面を覆っており、歯１７は、歯槽骨１６によって支持されている。ユーザは、把柄部１３を指で握り、毛束１２が植毛された頭部１４を、舌唇（口唇）１８と歯肉１５との間に挿入し、かつ、毛束１２の先端を歯肉１５の外側面１５Ａに接触させることにより、歯肉１５をマッサージする。
【００１６】
ユーザは、本体部１１をほぼ水平にして毛束１２の先端を歯肉１５の外側面１５Ａに押し付ける操作、本体部１１を中心線Ａ１に沿った方向に往復（振動）させる操作、本体部１１を中心線Ａ１を中心として所定角度、例えば、３６０度未満の角度で回転させる操作等のうち、少なくとも１つの操作を行うことにより、歯肉１５をマッサージする。なお、本体部１１を移動させる方向は、上記した例に限定されず、ユーザの好み、歯肉の形状などによって任意に選択される。その結果、歯肉１５の上皮の角質化を促して歯肉１５に抵抗力を付ける、歯肉１５の炎症予防、歯肉１５の組織改善、歯肉１５における血液循環の改善等のうち、少なくとも１つの効果を得られる。
【００１７】
ユーザが、口腔用ブラシ１０を用いて歯肉１５の内側面１５Ｂをマッサージする場合、ユーザは、頭部１４が歯１７を越えるように口腔用ブラシ１０を移動させ、ブラシ毛１２Ａの先端を内側面１５Ｂに押し付け、前述した複数の操作の少なくとも１つの操作を行えばよい。つまり、毛束１２が、本体部１１の円周方向の全域に亘って設けられているため、本体部１２を太さ方向に回転させることなく、ブラシ毛１２Ａの先端を内側面１５Ｂに押し付けることができる。したがって口腔用ブラシ１０は、ブラシ毛１２Ａの先端を口腔の対象部位に接触させ易いとともに、ユーザの操作負担を軽減可能である。
【００１８】
また、ユーザは、口腔用ブラシ１０を用いることにより、下顎の歯肉１５をマッサージする他、上顎の歯肉のマッサージ、舌唇１８の内面及び上唇（口唇）の内面のマッサージ、下顎の歯肉１５または歯１７、及び上顎の歯肉または歯に付着している食物残渣の除去、下顎の歯１７と歯肉１５との間の溝（歯周ポケット）に付着している歯垢（細菌)の除去、上顎の歯と歯肉との間の溝（歯周ポケット）に付着している歯垢の除去、舌苔の除去等を行うこともできる。すなわち、ブラシ毛１２Ａの先端を接触させる対象部位は、歯肉、歯、舌、歯周ポケット、口唇の内側等の何れでもよい。
【００１９】
さらに、ユーザが口腔用ブラシ１０を用いて口腔ケアを行うことにより、口腔のウィルス（新型コロナウィルスを含む)及び細菌を減少させることが可能であり、口腔の環境を衛生的に維持できる。なお、ユーザが口腔用ブラシ１０を用いて口腔ケアを行うタイミングは、朝起きてすぐ、かつ、朝食前が望ましい。
【００２０】
［第２実施形態］
口腔用ブラシの第２実施形態は、電動モータにより口腔用ブラシを作動させることが可能である。図５に示す口腔用ブラシ２０は、筒形状のグリップ２１と、グリップ２１内に設けられた電源２２と、グリップ２１内に設けられた電動モータ２３と、毛束１２が植毛された本体部１１と、を有する。グリップ２１は、絶縁性の材料、例えば、合成樹脂製である。電源２２は、二次電池または一次電池の何れでもよい。電動モータ２３は、電源２２から供給される電力によって回転される電動モータであり、電動モータ２３の出力軸２４は、正回転と逆回転とが可能である。把柄部１３の一部は、グリップ２１の内部に配置され、把柄部１３と出力軸２４とが、カップリング２５により連結されている。
【００２１】
グリップ２１の外面に操作部２６が設けられており、グリップ２１の内部にコントローラ２７が設けられている。コントローラ２７は、操作部２６の操作信号を受けて電源２２から電動モータ２３に対する電力の供給及び停止を制御する。ユーザが操作部２６を操作することにより、電動モータ２３に電源２２の電力を供給する制御と、電動モータ２３に対する電力を遮断する制御と、を切り替え可能である。電動モータ２３の回転方向は、コントローラ２７が自動的に切り替えてもよいし、ユーザが操作部２６を操作して切り替えてもよい。また、口腔用ブラシ２０は、出力軸２４の回転力により、本体部１１が中心線Ａ１に沿った方向に往復動される構造、または、出力軸２４の回転力により、本体部１１が中心線Ａ１に対して交差する方向に往復動される構造のうち、少なくとも一方の構造を備えていてもよい。
【００２２】
［他の具体例］
図６（Ａ），（Ｂ），（Ｃ）は、中心線Ａを中心とする平面内で、毛束１２の外周端の形状が、非円形である例を示す。つまり、頭部１４の円周方向において、ブラシ毛１２Ａの長さが不均一になっている。図６（Ａ），（Ｂ），（Ｃ）の具体例は、口腔用ブラシの第１実施形態及び第２実施形態の何れにも適用可能である。図６（Ａ）に示す毛束１２は、長さＴ１のブラシ毛１２Ａと、長さＴ１よりも小さい長さＴ２のブラシ毛１２Ｂと、を有する。頭部１４の円周方向において、１８０度の範囲内にブラシ毛１２Ａが設けられ、ブラシ毛１２Ａが設けられている範囲とは異なる１８０度の範囲内に、ブラシ毛１２Ｂが設けられている。
【００２３】
図６（Ｂ）に示す毛束１２は、頭部１４の円周方向の位置が変化することにともない、ブラシ毛１２Ａの長さＴ１が徐々に変化されている。図６（Ｃ）は、中心線Ａ１に対して垂直な平面内で、毛束１２の外周端の形状が楕円形になるように、ブラシ毛１２Ａの長さＴ１が設計されている。
【００２４】
図７に示す毛束１２は、頭部１４の長手方向において、ブラシ毛１２Ａの長さＴ１を不均一とした例である。このため、中心線Ａ１に沿った方向の平面内で、毛束１２の先端の形状は、凹凸形状または鋸刃形状または波形状である。図７は、毛束１２が有する凸部の数が３か所の例であるが、凸部の数は４か所以上でもよい。図７の毛束１２は、口腔用ブラシの第１実施形態及び第２実施形態の何れにも適用可能である。また、図７の毛束１２は、図６（Ａ），（Ｂ），（Ｃ）のうち、少なくとも１つの毛束１２にも適用可能である。
【００２５】
図８に示す口腔用ブラシ２０は、頭部１４の表面またはブラシ毛１２Ａの先端から、消毒液を口腔に向けて吐出できるようにした例である。グリップ２１内にポンプ２８が設けられ、出力軸２４の回転力をポンプ２８に伝達する伝達機構３１が設けられている。グリップ２１内にタンク２９が設けられ、タンク２９内に消毒液が収容されている。消毒薬は、次亜塩素酸塩、ヨウ素、アルコール等のうちの何れでもよい。本体部１１に通路３０が設けられている。
【００２６】
通路３０は、ポンプ２８の吐出口に接続され、かつ、頭部１４の表面に開口されている。また、ブラシ毛１２Ａに、基部から先端に向けて微細通路（図示せず）が設けられており、通路３０は微細通路に接続されている。通路３０は、ポンプ２８の吸入口、または、タンク２９に接続されている。ポンプ２８が駆動されると、タンク２９の消毒液がポンプ２８に吸い込まれ、ポンプ２８から吐出された消毒液は、頭部１４の表面またはブラシ毛１２Ａの先端のうち、少なくとも一方から口腔へ向けて吐出される。図８に示す毛束１２は、図１、図６（Ａ），（Ｂ），（Ｃ）、図７に示す毛束１２の何れであってもよい。
【００２７】
図９（Ａ）に示す口腔用ブラシ４０は、グリップ２１の筒部が可撓性の材料、例えば、軟質合成樹脂または合成ゴム等で構成されている。グリップ２１内にタンク２９が内蔵されており、タンク２９は合成ゴム製である。ユーザが、グリップ２１の外面を指で加圧すると、グリップ２１及びタンク２９が弾性変形され、タンク２９内から消毒液が吐出されて通路３０へ送られる。図９（Ａ）に示す毛束１２は、図１、図６（Ａ），（Ｂ），（Ｃ），図７に示す毛束１２の何れでもよい。
【００２８】
図９（Ｂ）に示す口腔用ブラシ１０は、把柄部１３と頭部１４とがそれぞれ別体で構成されている。把柄部１３に第１係合部４０が設けられ、頭部１４に第２係合部４１が設けられている。第１係合部４０と第２係合部４１とが、互いに係合および解放可能である。つまり、把柄部１３と頭部１４とを着脱可能である。
【００２９】
図９（Ｂ）に示す口腔用ブラシ１０は、第１実施形態及び第２実施形態、図５、図６（Ａ），（Ｂ），（Ｃ），図７、図８、図９（Ａ）の何れにも適用可能である。なお、図５及び図８の具体例では、本体部１１をカップリング２５に対して着脱可能としてもよい。このように、頭部１３が本体部１１に対して着脱可能、または、本体部１１がカップリング２５に対して着脱可能であると、図６（Ａ），（Ｂ），（Ｃ）及び図７に示す構造の毛束１２を、歯肉の形状、対象部位の種類、個人差等の条件に合わせて変更することが可能である。
【００３０】
さらに、中心線Ａ１に対して垂直な平面内で、本体部１１の少なくとも一部、つまり、頭部１４または把柄部１３の外周形状は、円形の他、多角形でもよい。例えば、頭部１４または把柄部１３の外周形状は、図１０（Ａ）のような四角形、図１０（Ｂ）のような六角形、図１０（Ｃ）のような八角形でもよい。さらに、頭部１４または把柄部１３の外周形状は、図１０（Ｄ）のような楕円形でもよい。図１０（Ａ）、（Ｂ），（Ｃ），（Ｄ）に示す毛束１２は、外周端の形状を何れも円形とした例であるが、毛束１２の外周端の形状は、図６（Ａ），（Ｂ），（Ｃ）の何れかに示す形状であってもよい。
【００３１】
なお、ブラシ毛１２Ａの長さ、ブラシ毛１２Ａの太さ及び材質、毛束１２の外周端の形状は、用途に応じて任意に変更及び選択可能である。また、長さＬ１，Ｌ２は、用途に応じて任意に変更及び選択可能である。さらに、本実施形態で説明した口腔用ブラシは、人間の口腔をケアするものに限らず、人間以外の動物、例えば、犬、猫、馬等の口腔をケアするものであってもよい。さらに、電源２２は、一次電池または二次電池等の直流電源に代えて、交流電源の電力を電動モータ２３に供給するものでもよい。
【符号の説明】
【００３２】
１０，２０，４０…口腔用ブラシ
１１…本体部
１２Ａ，１２Ｂ…ブラシ毛
１３…把柄部
１４…頭部
１４Ａ…外周面
２１…ケーシング
２２…電源部
２３…電動モータ
２９…タンク
３０…通路
Ｔ１，Ｔ２…長さ
【図１】
0003231765.tif 000003
【図２】
0003231765.tif 000004
【図３】
0003231765.tif 000005
【図４】
0003231765.tif 000006
【図５】
0003231765.tif 000007
【図６】
0003231765.tif 000008
【図７】
0003231765.tif 000009
【図８】
0003231765.tif 000010
【図９】
0003231765.tif 000011
【図１０】
0003231765.tif 000012
【図１１】
0003231765.tif 000013